(57)【要約】      （修正有）【課題】ペアリング不要で簡便に電子時計と通信機器との通信接続を行うことができる通信システム、通信方法、電子時計および通信機器を提供する。【解決手段】電子時計１１と通信機器１２とを備える通信システムであって、電子時計通信部１１Ａが通信機器１２との通信接続を求めると、通信機器制御部１２Ｃは、通信機器記憶部１２Ｂが記憶している接続許可リストに電子時計１１が含まれるか否かの照合を行い、電子時計１１が接続許可リストに含まれる場合に、通信機器通信部１２Ａは、電子時計１１との通信接続の確立を行い、電子時計１１に少なくとも時刻データを送るデータ通信を行い、電子時計１１が接続許可リストに含まれない場合に、通信機器通信部１２Ａは、電子時計１１との通信接続の確立を行わない。【選択図】図１
2019158583.tif 000002
【特許請求の範囲】
【請求項１】
電子時計と通信機器とを備える通信システムであって、
前記電子時計は、
前記通信機器との通信を行う電子時計通信部と、
前記電子時計通信部を制御する電子時計制御部とを備え、
前記通信機器は、
前記電子時計との通信を行う通信機器通信部と、
接続許可リストを記憶する通信機器記憶部と、
前記通信機器通信部を制御する通信機器制御部とを備え、
前記電子時計通信部が前記通信機器との通信接続を求めると、前記通信機器制御部は、前記通信機器記憶部が記憶している前記接続許可リストに前記電子時計が含まれるか否かの照合を行い、
前記電子時計が前記接続許可リストに含まれる場合に、前記通信機器通信部は、前記電子時計との通信接続の確立を行い、前記電子時計に少なくとも時刻データを送るデータ通信を行い、
前記電子時計が前記接続許可リストに含まれない場合に、前記通信機器通信部は、前記電子時計との通信接続の確立を行わない、
通信システム。
【請求項２】
前記通信機器は、前記接続許可リストに対する追加を行う接続許可リスト追加状態を有し、
前記通信機器は、前記通信システムの使用者による操作を受け付ける通信機器操作部を備え、
前記通信機器が前記接続許可リスト追加状態である場合に、前記通信機器制御部は、前記接続許可リストに含まれない他の電子時計を含む電子時計の探索を行い、前記通信機器操作部は、探索により発見された前記電子時計を前記接続許可リストに追加するか否かの前記使用者による選択操作を受け付け、
前記通信機器が前記接続許可リスト追加状態ではない場合に、前記通信機器制御部は、前記他の電子時計の探索を行わず、前記通信機器操作部は、前記選択操作を受け付けない、
請求項１に記載の通信システム。
【請求項３】
前記電子時計は、前記通信システムの使用者による操作を受け付けるボタン状の電子時計操作部を備え、
前記電子時計は、前記電子時計操作部が長押しされることによって、前記通信機器との通信接続許可を求める時刻同期開始ガイド状態になり、
前記電子時計が前記時刻同期開始ガイド状態である場合に前記電子時計操作部が離されると、前記電子時計通信部は、前記通信機器との強制通信を開始し、前記通信機器に対して接続要求信号を発信し、前記通信機器との通信接続の確立を要求し、
前記電子時計と前記通信機器との間の通信接続が確立されると、前記電子時計と前記通信機器との間で定期的な自動通信が行われる状態になる、
請求項１または請求項２に記載の通信システム。
【請求項４】
前記電子時計が前記時刻同期開始ガイド状態である場合に、前記電子時計操作部が更に長押しされると、前記電子時計制御部は、前記定期的な自動通信が行われる状態を解除する、
請求項３に記載の通信システム。
【請求項５】
前記電子時計が定期的な自動通信が行われる状態である場合に、前記電子時計通信部は、前記通信システムの使用者の操作によることなく自動で定期的に前記通信機器に対して通信接続の確立を要求し、
前記通信機器は、前記電子時計通信部による通信接続の確立要求を検知すると、前記接続許可リストに前記電子時計が含まれるか否かの照合を行い、
前記電子時計が前記接続許可リストに含まれる場合に、前記通信機器通信部は、前記電子時計との通信接続を許可し、前記電子時計との通信接続を自動的に行い、前記電子時計に少なくとも時刻データを送信し、
前記電子時計が前記接続許可リストに含まれない場合に、前記通信機器通信部は、前記電子時計との通信接続の確立を行わない、
請求項３に記載の通信システム。
【請求項６】
前記電子時計制御部は、前記時刻データに含まれる特定のコマンドが前記通信機器から送信されるか否かに基づいて前記電子時計の動作を決定する、
請求項１に記載の通信システム。
【請求項７】
前記通信機器操作部は、前記接続許可リストに登録されている電子時計の情報を消去する機能を有する、
請求項２に記載の通信システム。
【請求項８】
前記電子時計通信部が前記通信システムの使用者の操作によることなく自動で定期的に前記通信機器に対して通信接続の確立を要求する状態であっても、
前記電子時計操作部が長押しされることによって、前記電子時計が前記時刻同期開始ガイド状態になると、
前記電子時計通信部は、前記時刻同期開始ガイド状態になった時点から、強制通信が開始された時点と通信接続が確立された時点とを経て、通信接続確立後に時刻データを受信した時点まで、の期間に含まれる時点を起点として、自動で定期的に前記通信機器に対して通信接続の確立を要求する状態になる、
請求項５に記載の通信システム。
【請求項９】
前記電子時計通信部は、前記時刻同期開始ガイド状態において前記通信機器に対して通信接続の確立を要求する場合と、前記通信システムの使用者の操作によることなく自動で定期的に前記通信機器に対して通信接続の確立を要求する場合とで、異なる接続要求信号を送信し、
前記通信機器は、前記接続許可リストに含まれていない他の電子時計のうち、自動で定期的に通信接続の確立を要求している他の電子時計を前記接続許可リストに追加せず、強制通信が開始した状態において通信接続の確立を要求している他の電子時計を前記接続許可リストに追加する、
請求項５に記載の通信システム。
【請求項１０】
前記通信機器制御部は、前記通信機器との通信接続の確立が一定期間以上行われていない前記電子時計を、前記通信システムの使用者の操作によることなく自動で前記接続許可リストから消去する、
請求項１に記載の通信システム。
【請求項１１】
前記通信機器は、受信信号強度を検出する受信信号強度検出部を備え、
前記通信機器に対して通信接続を求める前記他の電子時計の受信信号強度が一定値以上である場合に、
前記通信機器操作部は、前記他の電子時計を前記接続許可リストに追加するか否かの前記使用者による選択操作を受け付ける、
請求項２に記載の通信システム。
【請求項１２】
電子時計と通信機器とによる通信方法であって、
前記電子時計は、
前記通信機器との通信を行う電子時計通信部と、
前記電子時計通信部を制御する電子時計制御部とを備え、
前記通信機器は、
前記電子時計との通信を行う通信機器通信部と、
接続許可リストを記憶する通信機器記憶部と、
前記通信機器通信部を制御する通信機器制御部とを備え、
前記電子時計通信部が前記通信機器との通信接続を求めると、前記通信機器制御部が、前記通信機器記憶部が記憶している前記接続許可リストに前記電子時計が含まれるか否かの照合を行う第１ステップと、
前記電子時計が前記接続許可リストに含まれる場合に、前記通信機器通信部が、前記電子時計との通信接続の確立を行い、前記電子時計に少なくとも時刻データを送るデータ通信を行う第２ステップと、
前記電子時計が前記接続許可リストに含まれない場合に、前記通信機器通信部が、前記電子時計との通信接続の確立を行わない第３ステップとを備える、
通信方法。
【請求項１３】
通信機器との間で通信を行う電子時計であって、
前記電子時計は、
前記通信機器との通信を行う電子時計通信部と、
前記電子時計通信部を制御する電子時計制御部とを備え、
前記通信機器は、
前記電子時計との通信を行う通信機器通信部と、
接続許可リストを記憶する通信機器記憶部と、
前記通信機器通信部を制御する通信機器制御部とを備え、
前記電子時計通信部が前記通信機器との通信接続を求めると、前記通信機器制御部は、前記通信機器記憶部が記憶している前記接続許可リストに前記電子時計が含まれるか否かの照合を行い、
前記電子時計が前記接続許可リストに含まれる場合に、前記通信機器通信部は、前記電子時計との通信接続の確立を行い、前記電子時計に少なくとも時刻データを送るデータ通信を行い、
前記電子時計が前記接続許可リストに含まれない場合に、前記通信機器通信部は、前記電子時計との通信接続の確立を行わない、
電子時計。
【請求項１４】
電子時計との間で通信を行う通信機器であって、
前記電子時計は、
前記通信機器との通信を行う電子時計通信部と、
前記電子時計通信部を制御する電子時計制御部とを備え、
前記通信機器は、
前記電子時計との通信を行う通信機器通信部と、
接続許可リストを記憶する通信機器記憶部と、
前記通信機器通信部を制御する通信機器制御部とを備え、
前記電子時計通信部が前記通信機器との通信接続を求めると、前記通信機器制御部は、前記通信機器記憶部が記憶している前記接続許可リストに前記電子時計が含まれるか否かの照合を行い、
前記電子時計が前記接続許可リストに含まれる場合に、前記通信機器通信部は、前記電子時計との通信接続の確立を行い、前記電子時計に少なくとも時刻データを送るデータ通信を行い、
前記電子時計が前記接続許可リストに含まれない場合に、前記通信機器通信部は、前記電子時計との通信接続の確立を行わない、
通信機器。
【発明の詳細な説明】
【技術分野】
【０００１】
本発明は、通信システム、通信方法、電子時計および通信機器に関する。
【背景技術】
【０００２】
従来より、スマートフォンなどの通信機器（以下、「通信機器」と称する。）と通信を行う通信機能付きの電子時計（以下、「時計」と称する。）が存在する。例えば、通信機器と時計とがＢｌｕｅｔｏｏｔｈ（登録商標）を用いて接続し通信する場合、通信機器と時計とのペアリングが行われ、通信機器と時計との間で通信をすることが一般的である。ペアリングにおいては、通信機器、および時計の双方に互いの情報が格納される。その為、ペアリング状態を解消するには、通信機器、時計双方に格納されているペアリング情報を消す必要がある。その為、誤って一方に保存されているペアリング情報だけが消され、もう一方に保存されているペアリング情報が残ってしまった場合、接続を行う事ができなくなる。また接続ができないだけでなく、ペアリング情報が消去されていない機器側は、残っているペアリング情報に基づいて通信を行おうとしてしまうため、新たな接続の確立もできない状態になってしまう。このためユーザーはなぜ接続できないのかわからず、機器に不信感を抱いてしまうと言った課題がある。そこで、単にペアリングをなくすことも考えられる。この場合に、例えば時刻データなどを、定期的に人が注視していない状態で交換する目的に使用したとすると、期待するサービスのＵＵＩＤ（Ｕｎｉｖｅｒｓａｌｌｙ  Ｕｎｉｑｕｅ  Ｉｄｅｎｔｉｆｉｅｒ）もしくは期待する機器名もしくはその両方をアドバタイズしている時計を見境なく接続してしまうこととなり、例えば、意図しない相手と接続されるおそれがある。
【０００３】
特許文献１では、『データ通信を許可または禁止する相手局の識別情報リストを編集／登録する手段と、識別情報リストに基づきデータ通信における着信を許可または禁止する制御手段を有する、情報処理装置』が考案されている。ここでは、電話番号をリストに登録することで機能を実現している。しかしながら、時計との組み合わせで、この技術を使おうとした場合、時計の識別番号に当たる番号はＢｌｕｅｔｏｏｔｈアドレスなどであり、使用者は通常認識することができず、リストへの登録が困難である。特にアナログ表示の時計では、指針のみが表示手段であるため、時計の識別番号を表示する事が困難となりうる。
【０００４】
特許文献２では、『デバイスの識別情報を取得し、その識別情報が接続を確立したことがない識別情報である場合、接続を確立する旨を確認する画面表示を行う』技術が、考案されている。しかしながら、この技術が近距離無線通信に適用される場合、近接通信よりも接続対象の時計が多くなるため、期待するサービスＵＵＩＤを用いて、まず接続すべき時計かどうかを判断する場合、同じサービスＵＵＩＤを持っている時計が接続を求めてくるたびに、接続を確立するか否かを尋ねられることとなり、利便性を損ないうる。
【０００５】
特許文献３では、『外部装置のアプリケーションの識別情報を電子時計側に通知、電子時計の識別信号を外部装置のアプリケーションに登録し、互いに、通信する相手を保持し、通信相手を選別する方法』が考案されている。しかしながら、この方式では、ペアリングと同様で、互いに識別情報を持つことになり、特定条件では片側の識別情報が欠落してしまうと、新たな接続の確立が困難となりうる。
また、時計は概してボタンが少なく、押し続け時間の差などを用いて多様な機能を実現させるのが一般的である。
【０００６】
特許文献４では、ボタンの押し続け時間の差を用いて、『ボタンを一定時間押し続けると基本時計モードになり、更に押し続けると電磁波手段の動作可否状態を切り替える』技術が考案されている。しかしながら、ここでは、接続の許可状態と接続の禁止状態を切り替えるため、現在が禁止された状態であるか、あるいは、許可された状態であるか、を正しく知らない場合、誤ってすでに禁止の状態であるにも関わらず、禁止状態にする操作を行うと、誤って許可されてしまうおそれがある。その為、現在の許可・禁止の状態を示す表示が必要となってしまい、例えば、サイズ、コストにおいて不利となりうる。
【先行技術文献】
【特許文献】
【０００７】
【特許文献１】特開平５−１４４８８号公報
【特許文献２】特開２０１１−２０４２４６号公報
【特許文献３】特開２０１７−１２６９５１号公報
【特許文献４】特開２０１５−１８４２３６号公報
【発明の概要】
【発明が解決しようとする課題】
【０００８】
上述した問題点に鑑み、本発明は、ペアリング不要で簡便に電子時計と通信機器との通信接続を行うことができる通信システム、通信方法、電子時計および通信機器を提供することを目的とする。
【課題を解決するための手段】
【０００９】
本発明の一態様に係る通信システムは、電子時計と通信機器とを備える通信システムであって、前記電子時計は、前記通信機器との通信を行う電子時計通信部と、前記電子時計通信部を制御する電子時計制御部とを備え、前記通信機器は、前記電子時計との通信を行う通信機器通信部と、接続許可リストを記憶する通信機器記憶部と、前記通信機器通信部を制御する通信機器制御部とを備え、前記電子時計通信部が前記通信機器との通信接続を求めると、前記通信機器制御部は、前記通信機器記憶部が記憶している前記接続許可リストに前記電子時計が含まれるか否かの照合を行い、前記電子時計が前記接続許可リストに含まれる場合に、前記通信機器通信部は、前記電子時計との通信接続の確立を行い、前記電子時計に少なくとも時刻データを送るデータ通信を行い、前記電子時計が前記接続許可リストに含まれない場合に、前記通信機器通信部は、前記電子時計との通信接続の確立を行わない。
【００１０】
本発明の一態様に係る通信システムでは、前記通信機器は、前記接続許可リストに対する追加を行う接続許可リスト追加状態を有し、前記通信機器は、前記通信システムの使用者による操作を受け付ける通信機器操作部を備え、前記通信機器が前記接続許可リスト追加状態である場合に、前記通信機器制御部は、前記接続許可リストに含まれない他の電子時計を含む電子時計の探索を行い、前記通信機器操作部は、探索により発見された前記電子時計を前記接続許可リストに追加するか否かの前記使用者による選択操作を受け付け、前記通信機器が前記接続許可リスト追加状態ではない場合に、前記通信機器制御部は、前記他の電子時計の探索を行わず、前記通信機器操作部は、前記選択操作を受け付けなくてもよい。
【００１１】
本発明の一態様に係る通信システムでは、前記電子時計は、前記通信システムの使用者による操作を受け付けるボタン状の電子時計操作部を備え、前記電子時計は、前記電子時計操作部が長押しされることによって、前記通信機器との通信接続許可を求める時刻同期開始ガイド状態になり、前記電子時計が前記時刻同期開始ガイド状態である場合に前記電子時計操作部が離されると、前記電子時計通信部は、前記通信機器との強制通信を開始し、前記通信機器に対して接続要求信号を発信し、前記通信機器との通信接続の確立を要求し、前記電子時計と前記通信機器との間の通信接続が確立されると、前記電子時計と前記通信機器との間で定期的な自動通信が行われる状態になってもよい。
【００１２】
本発明の一態様に係る通信システムでは、前記電子時計が前記時刻同期開始ガイド状態である場合に、前記電子時計操作部が更に長押しされると、前記電子時計制御部は、前記定期的な自動通信が行われる状態を解除してもよい。
【００１３】
本発明の一態様に係る通信システムでは、前記電子時計が定期的な自動通信が行われる状態である場合に、前記電子時計通信部は、前記通信システムの使用者の操作によることなく自動で定期的に前記通信機器に対して通信接続の確立を要求し、前記通信機器は、前記電子時計通信部による通信接続の確立要求を検知すると、前記接続許可リストに前記電子時計が含まれるか否かの照合を行い、前記電子時計が前記接続許可リストに含まれる場合に、前記通信機器通信部は、前記電子時計との通信接続を許可し、前記電子時計との通信接続を自動的に行い、前記電子時計に少なくとも時刻データを送信し、前記電子時計が前記接続許可リストに含まれない場合に、前記通信機器通信部は、前記電子時計との通信接続の確立を行わなくてもよい。
【００１４】
本発明の一態様に係る通信システムでは、前記電子時計制御部は、前記時刻データに含まれる特定のコマンドが前記通信機器から送信されるか否かに基づいて前記電子時計の動作を決定してもよい。
【００１５】
本発明の一態様に係る通信システムでは、前記通信機器操作部は、前記接続許可リストに登録されている電子時計の情報を消去する機能を有してもよい。
【００１６】
本発明の一態様に係る通信システムでは、前記電子時計通信部が前記通信システムの使用者の操作によることなく自動で定期的に前記通信機器に対して通信接続の確立を要求する状態であっても、前記電子時計操作部が長押しされることによって、前記電子時計が前記時刻同期開始ガイド状態になると、前記電子時計通信部は、前記時刻同期開始ガイド状態になった時点から、強制通信が開始された時点と通信接続が確立された時点とを経て、通信接続確立後に時刻データを受信した時点まで、の期間に含まれる時点を起点として、自動で定期的に前記通信機器に対して通信接続の確立を要求する状態になってもよい。
【００１７】
本発明の一態様に係る通信システムでは、前記電子時計通信部は、前記時刻同期開始ガイド状態において前記通信機器に対して通信接続の確立を要求する場合と、前記通信システムの使用者の操作によることなく自動で定期的に前記通信機器に対して通信接続の確立を要求する場合とで、異なる接続要求信号を送信し、前記通信機器は、前記接続許可リストに含まれていない他の電子時計のうち、自動で定期的に通信接続の確立を要求している他の電子時計を前記接続許可リストに追加せず、強制通信が開始した状態において通信接続の確立を要求している他の電子時計を前記接続許可リストに追加してもよい。
【００１８】
本発明の一態様に係る通信システムでは、前記通信機器制御部は、前記通信機器との通信接続の確立が一定期間以上行われていない前記電子時計を、前記通信システムの使用者の操作によることなく自動で前記接続許可リストから消去してもよい。
【００１９】
本発明の一態様に係る通信システムは、前記通信機器は、受信信号強度を検出する受信信号強度検出部を備え、前記通信機器に対して通信接続を求める前記他の電子時計の受信信号強度が一定値以上である場合に、前記通信機器操作部は、前記他の電子時計を前記接続許可リストに追加するか否かの前記使用者による選択操作を受け付けてもよい。
【００２０】
本発明の一態様に係る通信方法は、電子時計と通信機器とによる通信方法であって、前記電子時計は、前記通信機器との通信を行う電子時計通信部と、前記電子時計通信部を制御する電子時計制御部とを備え、前記通信機器は、前記電子時計との通信を行う通信機器通信部と、接続許可リストを記憶する通信機器記憶部と、前記通信機器通信部を制御する通信機器制御部とを備え、前記電子時計通信部が前記通信機器との通信接続を求めると、前記通信機器制御部が、前記通信機器記憶部が記憶している前記接続許可リストに前記電子時計が含まれるか否かの照合を行う第１ステップと、前記電子時計が前記接続許可リストに含まれる場合に、前記通信機器通信部が、前記電子時計との通信接続の確立を行い、前記電子時計に少なくとも時刻データを送るデータ通信を行う第２ステップと、前記電子時計が前記接続許可リストに含まれない場合に、前記通信機器通信部が、前記電子時計との通信接続の確立を行わない第３ステップとを備える。
【００２１】
本発明の一態様に係る電子時計は、通信機器との間で通信を行う電子時計であって、前記電子時計は、前記通信機器との通信を行う電子時計通信部と、前記電子時計通信部を制御する電子時計制御部とを備え、前記通信機器は、前記電子時計との通信を行う通信機器通信部と、接続許可リストを記憶する通信機器記憶部と、前記通信機器通信部を制御する通信機器制御部とを備え、前記電子時計通信部が前記通信機器との通信接続を求めると、前記通信機器制御部は、前記通信機器記憶部が記憶している前記接続許可リストに前記電子時計が含まれるか否かの照合を行い、前記電子時計が前記接続許可リストに含まれる場合に、前記通信機器通信部は、前記電子時計との通信接続の確立を行い、前記電子時計に少なくとも時刻データを送るデータ通信を行い、前記電子時計が前記接続許可リストに含まれない場合に、前記通信機器通信部は、前記電子時計との通信接続の確立を行わない。
【００２２】
本発明の一態様に係る通信機器は、電子時計との間で通信を行う通信機器であって、前記電子時計は、前記通信機器との通信を行う電子時計通信部と、前記電子時計通信部を制御する電子時計制御部とを備え、前記通信機器は、前記電子時計との通信を行う通信機器通信部と、接続許可リストを記憶する通信機器記憶部と、前記通信機器通信部を制御する通信機器制御部とを備え、前記電子時計通信部が前記通信機器との通信接続を求めると、前記通信機器制御部は、前記通信機器記憶部が記憶している前記接続許可リストに前記電子時計が含まれるか否かの照合を行い、前記電子時計が前記接続許可リストに含まれる場合に、前記通信機器通信部は、前記電子時計との通信接続の確立を行い、前記電子時計に少なくとも時刻データを送るデータ通信を行い、前記電子時計が前記接続許可リストに含まれない場合に、前記通信機器通信部は、前記電子時計との通信接続の確立を行わない。
【発明の効果】
【００２３】
本発明によれば、ペアリング不要で簡便に電子時計と通信機器との通信接続を行うことができる通信システム、通信方法、電子時計および通信機器を提供することができる。
【図面の簡単な説明】
【００２４】
【図１】第１実施形態の通信システムの概略構成等を示す図である。
【図２】第１状態Ａから第２状態Ｂの状態Ｂ１への電子時計の状態の遷移を説明するための図である。
【図３】第１状態Ａから第２状態Ｂの状態Ｂ２への電子時計の状態の遷移を説明するための図である。
【図４】第１状態Ａから第２状態Ｂの状態Ｂ３への電子時計の状態の遷移を説明するための図である。
【図５】電子時計の状態が第１状態Ａから第３状態Ｃに遷移する第１の場合の一例を説明するための図である。
【図６】図５に示す場合における電子時計と通信機器との通信の一例を説明するための図である。
【図７】電子時計の状態が第１状態Ａから第３状態Ｃに遷移する第２の場合の一例を説明するための図である。
【図８】図７に示す場合における電子時計と通信機器との通信の一例を説明するための図である。
【図９】電子時計の状態が第１状態Ａから第３状態Ｃに遷移する第３の場合の一例を説明するための図である。
【図１０】第１実施形態の通信システムにおいて実行される主要な処理の一例を説明するためのフローチャートである。
【発明を実施するための形態】
【００２５】
以下、本発明の通信システム、通信方法、電子時計および通信機器の実施形態について、図面を参照しつつ説明する。
【００２６】
＜第１実施形態＞
図１は第１実施形態の通信システム１の概略構成等を示す図である。詳細には、図１（Ａ）は第１実施形態の通信システム１の概略構成の一例を示す図である。図１（Ｂ）は通信システム１の一部を構成する電子時計１１の状態の遷移を説明するための図である。
図１（Ａ）に示す例では、通信システム１が、電子時計１１と、通信機器１２とを備えている。電子時計１１は、一例として、アナログ表示によって時刻を表示する時計として説明する。電子時計１１は、指針がないデジタル時計であってもよく、アナログとデジタルとを両方備える、いわゆるコンビネーションクォーツ時計であってもよい。電子時計１１は、通信部１１Ａと、制御部１１Ｂと、操作部１１Ｃと、表示部１１Ｄと、記憶部１１Ｅとを備えている。通信部１１Ａは、例えばＢｌｕｅｔｏｏｔｈ（登録商標）などの近距離無線通信によって通信機器１２との通信を行う。制御部１１Ｂは、通信部１１Ａなどの制御を行う。操作部１１Ｃは、通信システム１の使用者（詳細には、例えば電子時計１１の装着者）による操作を受け付ける。操作部１１Ｃは、例えばボタン状に構成され、通信システム１の使用者による押し下げ操作を受け付ける。表示部１１Ｄは、文字板１１Ｄ１と、指針１１Ｄ２とを備えている。表示部１１Ｄは、文字板１１Ｄ１と指針１１Ｄ２とによって時刻を表示する。記憶部１１Ｅは、各種の操作に必要な操作部１１Ｃの押し下げ操作時間、自動時刻同期が行われる時間間隔などを記憶する。
通信機器１２は、例えばスマートフォン、携帯電話端末、タブレット端末などである。通信機器１２は、通信部１２Ａと、記憶部１２Ｂと、制御部１２Ｃと、操作部１２Ｄと、受信信号強度検出部１２Ｅとを備えている。通信部１２Ａは、電子時計１１との通信を行う。また、通信部１２Ａは、後述する時刻データを取得する。記憶部１２Ｂは、後述する接続許可リストなどを記憶する。制御部１２Ｃは、通信部１２Ａなどの制御を行う。操作部１２Ｄは、通信システム１の使用者（詳細には、例えば通信機器１２の携帯者）による操作を受け付ける。受信信号強度検出部１２Ｅは、通信部１２Ａが受信する信号の強度である受信信号強度を検出する。受信信号強度検出部１２Ｅは、例えば電子時計１１の通信部１１Ａが送信し、通信部１２Ａが受信する信号の強度を検出する。
【００２７】
図１（Ａ）に示す例では、通信機器１２の通信部１２Ａは、現在時刻のデータである時刻データを取得する機能を有する。通信部１２Ａは、例えば、インターネット上の時刻サーバにアクセスすることによって時刻データを取得する。
他の例では、通信部１２Ａが、ＧＰＳ（Ｇｌｏｂａｌ  Ｐｏｓｉｔｉｏｎｉｎｇ  Ｓｙｓｔｅｍ）を用いることによって時刻データを取得したり、基地局からの制御信号を受信することによって時刻データを取得したりしてもよい。
【００２８】
図１（Ａ）に示す例では、電子時計１１は、通信機器１２が取得した時刻データを受信し、その時刻データに基づき、文字板１１Ｄ１と指針１１Ｄ２とによって表示される時刻を修正する機能を有する。詳細には、電子時計１１は、例えば２４時間毎のような一定時間間隔で、通信機器１２から時刻データを受信し、時刻の修正を行うモード（自動時刻同期設定ＯＮモード）と、通信機器１２から時刻データを受信せず、時刻の修正を行わないモード（自動時刻同期設定ＯＦＦモード）とを備えている。
【００２９】
図１（Ｂ）に示す例では、電子時計１１が、第１状態Ａと第２状態Ｂと第３状態Ｃとを有し、それらの状態の間で遷移する。
第１状態Ａは、電子時計１１が時刻を表示する通常状態である。通常状態（第１状態Ａ）には、自動時刻同期ＯＮ状態Ａ１と、自動時刻同期ＯＦＦ状態Ａ２とが含まれる。つまり、電子時計１１は、通常状態（第１状態Ａ）になる場合に、自動時刻同期ＯＮ状態Ａ１および自動時刻同期ＯＦＦ状態Ａ２のいずれかの状態になる。
【００３０】
第２状態Ｂは、電子時計１１の自動時刻同期設定が、ＯＮに設定されているか、あるいは、ＯＦＦに設定されているかを表示する状態である。第２状態Ｂでは、前回の時刻同期が正常に行われた（ＯＫ）か、前回の時刻同期が正常に行われなかった（ＮＧ）かも表示される。第２状態Ｂには、状態Ｂ１と、状態Ｂ２と、状態Ｂ３とが含まれる。
状態Ｂ１は、電子時計１１の自動時刻同期設定がＯＮに設定されている旨が表示される状態であって、前回の時刻同期が正常に行われた（ＯＫ）旨が表示される状態である。
状態Ｂ２は、電子時計１１の自動時刻同期設定がＯＮに設定されている旨が表示される状態であって、前回の時刻同期が正常に行われなかった（ＮＧ）か、あるいは、前回の時刻同期の成功から２４時間以上が経過している旨が表示される状態である。
状態Ｂ３は、電子時計１１の自動時刻同期設定がＯＦＦに設定されている旨が表示される状態である。
【００３１】
通信システム１の使用者（詳細には、例えば電子時計１１の装着者）によって、通常状態（第１状態Ａ）の電子時計１１の操作部１１Ｃが押し下げられ、例えば２秒以内に操作部１１Ｃが離されると、電子時計１１の状態が、第１状態Ａから、第２状態Ｂの状態Ｂ１、Ｂ２またはＢ３に遷移する。
【００３２】
図２〜図４は第１状態Ａから第２状態Ｂへの電子時計１１の状態の遷移を説明するための図である。詳細には、図２は第１状態Ａから第２状態Ｂの状態Ｂ１への電子時計１１の状態の遷移を説明するための図である。図３は第１状態Ａから第２状態Ｂの状態Ｂ２への電子時計１１の状態の遷移を説明するための図である。図４は第１状態Ａから第２状態Ｂの状態Ｂ３への電子時計１１の状態の遷移を説明するための図である。
【００３３】
図１（Ｂ）および図２に示すように、電子時計１１の装着者によって、通常状態（第１状態Ａ）（詳細には、自動時刻同期ＯＮ状態Ａ１）の電子時計１１の操作部１１Ｃが押し下げられ、例えば２秒以内に操作部１１Ｃが離されると、電子時計１１の状態が、第１状態Ａ（図２（Ａ）参照）から、第２状態Ｂの状態Ｂ１（図２（Ｂ）参照）に遷移する。
詳細には、電子時計１１の秒針が、現在時刻を指示する位置（第１状態Ａ）から、「２時」を指示する位置（状態Ｂ１）に移動する。現在時刻を指示する位置（第１状態Ａ）から「２時」を指示する位置（状態Ｂ１）への電子時計１１の秒針の移動量が３０°未満の場合には、電子時計１１の秒針が、現在時刻を指示する位置（第１状態Ａ）から、３６０°回転した後に「２時」を指示する位置（状態Ｂ１）に移動する。
その結果、電子時計１１の装着者は、図２（Ｂ）に示す電子時計１１の表示によって、電子時計１１の自動時刻同期設定がＯＮに設定されている旨、および、前回の時刻同期が正常に行われた（ＯＫ）旨を把握することができる。
【００３４】
図２（Ｂ）に示す電子時計１１の表示は、例えば５秒間維持され、次いで、電子時計１１の状態が、状態Ｂ１（図２（Ｂ）参照）から、第１状態Ａ（図２（Ａ）参照）に遷移する。その結果、電子時計１１の装着者が、図２（Ａ）に示す電子時計１１の表示によって、現在時刻を再び把握できるようになる。
【００３５】
図１（Ｂ）および図３に示すように、電子時計１１の装着者によって、通常状態（第１状態Ａ）（詳細には、自動時刻同期ＯＮ状態Ａ１であって、前回の時刻同期が正常に行われなかった（ＮＧ）状態）の電子時計１１の操作部１１Ｃが押し下げられ、例えば２秒以内に操作部１１Ｃが離されると、電子時計１１の状態が、第１状態Ａ（図３（Ａ）参照）から、第２状態Ｂの状態Ｂ２（図３（Ｂ）参照）に遷移する。
詳細には、電子時計１１の秒針が、現在時刻を指示する位置（第１状態Ａ）から、図３（Ｂ）に示すように３６０°回転し（状態Ｂ２）、即座に現在時刻を指示する位置（第１状態Ａ）に戻る。
その結果、電子時計１１の装着者は、図３（Ｂ）に示す電子時計１１の秒針の動きによって、電子時計１１の自動時刻同期設定がＯＮに設定されている旨と、前回の時刻同期が正常に行われなかった（ＮＧ）旨、あるいは、前回の時刻同期の成功から２４時間以上が経過している旨とを把握することができる。
また、電子時計１１の装着者は、図３（Ａ）に示す電子時計１１の表示によって、現在時刻を再び把握できるようになる。
【００３６】
図１（Ｂ）および図４に示すように、電子時計１１の装着者によって、通常状態（第１状態Ａ）（詳細には、自動時刻同期ＯＦＦ状態Ａ２）の電子時計１１の操作部１１Ｃが押し下げられ、例えば２秒以内に操作部１１Ｃが離されると、電子時計１１の状態が、第１状態Ａ（図４（Ａ）参照）から、第２状態Ｂの状態Ｂ３（図４（Ｂ）参照）に遷移する。
詳細には、電子時計１１の秒針が、現在時刻を指示する位置（第１状態Ａ）から、「４時」を指示する位置（状態Ｂ３）に移動する。現在時刻を指示する位置（第１状態Ａ）から「４時」を指示する位置（状態Ｂ３）への電子時計１１の秒針の移動量が３０°未満の場合には、電子時計１１の秒針が、現在時刻を指示する位置（第１状態Ａ）から、３６０°回転した後に「４時」を指示する位置（状態Ｂ３）に移動する。
その結果、電子時計１１の装着者は、図４（Ｂ）に示す電子時計１１の表示によって、電子時計１１の自動時刻同期設定がＯＦＦに設定されている旨を把握することができる。
【００３７】
図４（Ｂ）に示す電子時計１１の表示は、例えば５秒間維持され、次いで、電子時計１１の状態が、状態Ｂ３（図４（Ｂ）参照）から、第１状態Ａ（図４（Ａ）参照）に遷移する。その結果、電子時計１１の装着者が、図４（Ａ）に示す電子時計１１の表示によって、現在時刻を再び把握できるようになる。
【００３８】
図１（Ｂ）に示す例では、第３状態Ｃが、電子時計１１の時刻同期開始、電子時計１１の自動時刻同期のＯＮ／ＯＦＦ設定などが行われる状態である。第３状態Ｃには、状態Ｃ１と、状態Ｃ２と、状態Ｃ３、状態Ｃ４とが含まれる。
状態Ｃ１は、電子時計１１の時刻同期開始ガイド状態である。
状態Ｃ２は、電子時計１１の時刻同期が開始される状態である。
状態Ｃ３は、電子時計１１の時刻同期が成功した旨が表示される状態である。
状態Ｃ４は、電子時計１１の自動時刻同期設定がＯＦＦに設定される状態である。
【００３９】
通信システム１の使用者（詳細には、例えば電子時計１１の装着者）によって、通常状態（第１状態Ａ）の電子時計１１の操作部１１Ｃが押し下げられ、例えば２秒よりも長い期間が経過した後に操作部１１Ｃが離されると、電子時計１１の状態が、第１状態Ａから、第３状態Ｃに遷移する。
【００４０】
図５は電子時計１１の状態が第１状態Ａから第３状態Ｃに遷移する第１の場合の一例を説明するための図である。
図１（Ｂ）および図５に示すように、電子時計１１の装着者によって、通常状態（第１状態Ａ）（詳細には、自動時刻同期ＯＮ状態Ａ１または自動時刻同期ＯＦＦ状態Ａ２）の電子時計１１の操作部１１Ｃが押し下げられ、操作部１１Ｃの押し下げ期間が例えば２秒よりも長くなると（つまり、操作部１１Ｃが長押しされると）、電子時計１１の状態が、第１状態Ａ（図５（Ａ）参照）から、第３状態Ｃの状態（通信機器１２との通信接続許可を求める時刻同期開始ガイド状態）Ｃ１（図５（Ｂ）参照）に遷移する。詳細には、電子時計１１の秒針が、現在時刻を指示する位置（第１状態Ａ）から、「２時」を指示する位置（状態Ｃ１）に移動する。
次いで、電子時計１１の状態が状態Ｃ１（図５（Ｂ）参照）に遷移してから例えば３秒以内に、操作部１１Ｃが離されると、電子時計１１の状態が、第３状態Ｃの状態Ｃ１（図５（Ｂ）参照）から状態Ｃ２（図５（Ｃ）参照）に遷移する。詳細には、電子時計１１の秒針が、「２時」を指示する位置（状態Ｃ１）から、「１２時」を指示する位置（状態Ｃ２）に移動する。
上述したように、状態Ｃ２では、通信機器１２との通信による電子時計１１の時刻同期が開始される。
【００４１】
図６は図５に示す場合における電子時計１１と通信機器１２との通信の一例を説明するための図である。
図６に示す例では、電子時計１１の状態が、第３状態Ｃの状態Ｃ１（図５（Ｂ）参照）から状態Ｃ２（図５（Ｃ）参照）に遷移すると、図６（Ａ）および図６（Ｂ）に右向き矢印で示すように、電子時計１１の通信部１１Ａが、通信機器１２との通信接続を求める接続要求を送信する。詳細には、電子時計１１の通信部１１Ａが、通信機器１２に対してアドバタイズ信号（接続要求信号）を発信し、通信機器１２との通信接続の確立を要求する。
通信機器１２が電子時計１１からの接続要求を受信すると、通信機器１２の例えば制御部１２Ｃは、記憶部１２Ｂが記憶している接続許可リストに電子時計１１が含まれるか否かの照合を行う。
【００４２】
電子時計１１が接続許可リストに含まれる場合、詳細には、電子時計１１のＢｌｕｅｔｏｏｔｈアドレス、ＯＳ（Ｏｐｅｒａｔｉｎｇ  Ｓｙｓｔｅｍ）が指定したＵＵＩＤ（Ｕｎｉｖｅｒｓａｌｌｙ  Ｕｎｉｑｕｅ  Ｉｄｅｎｔｉｆｉｅｒ）などが接続許可リストに含まれる場合、図６（Ａ）および図６（Ｂ）に双方向矢印で示すように、通信機器１２の通信部１２Ａは、電子時計１１との通信接続の確立を行う。次いで、図６（Ａ）および図６（Ｂ）に左向き矢印で示すように、電子時計１１に少なくとも時刻データを送るデータ通信を行う。つまり、通信機器１２との通信による電子時計１１の時刻同期が成功する。
【００４３】
また、電子時計１１の制御部１１Ｂは、時刻データに含まれる特定のコマンドが通信機器１２から送信されるか否かに基づいて電子時計１１の動作を決定する。例えば、時刻データに含まれる特定のコマンドが通信機器１２から送信される場合に、電子時計１１は時刻の修正を行う。時刻データに含まれる特定のコマンドが通信機器１２から送信されない場合に、電子時計１１は時刻の修正を行わない。このように構成することにより、仮に電子時計１１が誤った機器（通信機器１２以外の機器）と接続されてしまった場合に誤動作してしまうおそれ（例えば、誤って時刻の修正を行ってしまうおそれ）を抑制することができる。
【００４４】
電子時計１１が接続許可リストに含まれない場合、通信機器１２の通信部１２Ａは、電子時計１１との通信接続の確立を行わない。
電子時計１１が接続許可リストに含まれない場合に、通信機器１２の通信部１２Ａが、電子時計１１との通信接続の確立を行うこともできる。通信部１２Ａが電子時計１１との通信接続の確立を行う場合、通信機器１２は、電子時計１１を接続許可リストに追加する。詳細には、通信機器１２は、図６（Ｂ）に示すような、接続許可リストに対する追加を行う接続許可リスト追加状態を有する。
【００４５】
電子時計１１が接続許可リストに含まれない場合であって、通信機器１２が接続許可リスト追加状態である場合に、通信機器１２は、図６（Ｂ）に示すように、例えば「接続許可リストへ追加する時計を探索しますか？」の旨の表示を、通信システム１の使用者（詳細には、通信機器１２の携帯者）に対して行う。
通信システム１の使用者がＹＥＳの選択をした場合、通信機器１２の例えば制御部１２Ｃは、接続許可リストに含まれない他の電子時計（図６に示す例では、電子時計１１）を含む電子時計の探索を行う。
【００４６】
通信機器１２が他の電子時計としての電子時計１１を検出した場合、通信機器１２の操作部１２Ｄは、通信機器１２に対して通信接続を求める他の電子時計（探索により発見された電子時計）（図６に示す例では、電子時計１１）を接続許可リストに追加するか否かの通信システム１の使用者による選択操作を受け付ける。
詳細には、通信機器１２が電子時計１１を検出した場合、通信機器１２は、図６（Ｃ）に示すように、例えば「時計ＸＸＸ（図６に示す例では、電子時計１１）を検出しました。接続許可リストへ追加しますか？」の旨の表示を、通信システム１の使用者（詳細には、通信機器１２の携帯者）に対して行う。
【００４７】
通信システム１の使用者がＹＥＳの選択をした場合、つまり、通信システム１の使用者が、電子時計１１を接続許可リストに追加する旨の選択をした場合、通信機器１２は電子時計１１を接続許可リストに追加する。
通信機器１２が電子時計１１を接続許可リストに追加した場合、通信機器１２の通信部１２Ａは、図６（Ａ）および図６（Ｂ）に双方向矢印で示すように、電子時計１１との通信接続の確立を行う。また、通信部１２Ａは、図６（Ａ）および図６（Ｂ）に左向き矢印で示すように、電子時計１１に少なくとも時刻データを送るデータ通信を行う。
【００４８】
一方、通信システム１の使用者がＮＯの選択をした場合、つまり、通信システム１の使用者が、電子時計１１を接続許可リストに追加しない旨の選択をした場合、通信機器１２は電子時計１１を接続許可リストに追加しない。
【００４９】
通信機器１２が、図６（Ｂ）に示す接続許可リスト追加状態ではない場合に、通信機器１２の例えば制御部１２Ｃは、他の電子時計（図６に示す例では、電子時計１１）の探索を行わない。また、通信機器１２の操作部１２Ｄは、通信システム１の使用者による選択操作を受け付けない。つまり、通信機器１２は、図６（Ｂ）および図６（Ｃ）に示すような表示を行わない。
【００５０】
図６に示す例では、上述したように、通信機器１２の操作部１２Ｄは、電子時計１１を接続許可リストに追加するか否かの通信システム１の使用者による選択操作を受け付ける。
他の例では、通信機器１２の操作部１２Ｄが、接続許可リストを一括消去する機能（つまり、接続許可リストに登録されている電子時計の情報を消去する機能）を有してもよい。この例では、通信機器１２が、接続許可リストを一括消去するか否かの通信システム１の使用者による選択操作を受け付けるモードを備えている。なお、当該機能は、一括消去する場合と、部分的に消去する場合とを含むことができる。
【００５１】
図５の説明に戻り、通信機器１２との通信による電子時計１１の時刻同期が成功すると、電子時計１１の状態が、第３状態Ｃの状態Ｃ２（図５（Ｃ）参照）から状態Ｃ３（図５（Ｄ）参照）に遷移する。詳細には、電子時計１１の秒針が、「１２時」を指示する位置（状態Ｃ２）から、「２時」を指示する位置（状態Ｃ３）に移動する。
その結果、電子時計１１の装着者は、図５（Ｄ）に示す電子時計１１の表示によって、通信機器１２との通信による電子時計１１の時刻同期が成功した旨を把握することができる。
図５（Ｄ）に示す電子時計１１の表示は、例えば５秒間維持され、次いで、電子時計１１の状態が、状態Ｃ３（図５（Ｄ）参照）から、第１状態Ａ（図５（Ａ）参照）に遷移する。電子時計１１は、通信機器１２から受信した時刻データに基づき、文字板１１Ｄ１と指針１１Ｄ２とによって表示される時刻を修正し、第１状態Ａ（図５（Ａ）参照）に遷移する。その結果、電子時計１１の装着者が、図５（Ａ）に示す電子時計１１の表示によって、現在時刻（詳細には、修正された現在時刻）を把握できるようになる。
詳細には、電子時計１１と通信機器１２との間の通信接続が確立されると、電子時計１１と通信機器１２との間で定期的な（例えば２４時間毎の）自動通信（図６および図７参照）が行われる状態になる。
【００５２】
第３状態Ｃの状態Ｃ２（図５（Ｃ）参照）において通信機器１２との通信による電子時計１１の時刻同期が失敗した場合には、通信機器１２との通信による電子時計１１の時刻同期が再度試みられる。
電子時計１１の状態が状態Ｃ２（図５（Ｃ）参照）に遷移してから例えば３分以内に時刻同期が成功しない場合には、タイムアウトとなり、電子時計１１の状態が、状態Ｃ２（図５（Ｃ）参照）から、第１状態Ａ（図５（Ａ）参照）に遷移する。その結果、電子時計１１の装着者が、図５（Ａ）に示す電子時計１１の表示によって、現在時刻（ただし、修正されていない現在時刻）を再び把握できるようになる。
電子時計１１の状態が状態Ｃ２（図５（Ｃ）参照）に遷移してから例えば３分が経過する前においても、電子時計１１の装着者によって、操作部１１Ｃが、例えば２秒以上押し下げられて離されると、時刻同期がキャンセルされる。それにより、電子時計１１の状態が、状態Ｃ２（図５（Ｃ）参照）から、第１状態Ａ（図５（Ａ）参照）に遷移する。その結果、電子時計１１の装着者が、図５（Ａ）に示す電子時計１１の表示によって、現在時刻（ただし、修正されていない現在時刻）を再び把握できるようになる。
【００５３】
図７は電子時計１１の状態が第１状態Ａから第３状態Ｃに遷移する第２の場合の一例を説明するための図である。
上述した図５に示す例では、電子時計１１の状態が第１状態Ａから第３状態Ｃに遷移するために、電子時計１１の装着者による操作部１１Ｃの押し下げが必要である。
一方、図７に示す例では、電子時計１１の状態が第１状態Ａから第３状態Ｃに遷移するために、電子時計１１の装着者による操作部１１Ｃの押し下げが必要ない。つまり、図７に示す例は、定期的な自動通信が行われる例である。
【００５４】
図１（Ｂ）および図７に示すように、電子時計１１が自動時刻同期ＯＮ状態Ａ１である場合には、例えば２４時間毎の自動時刻同期タイミングになると、電子時計１１の状態が、第１状態Ａ（図７（Ａ）参照）から、第３状態Ｃの状態Ｃ２（図７（Ｂ）参照）に遷移する。詳細には、電子時計１１の秒針が、現在時刻を指示する位置（第１状態Ａ）から、「１２時」を指示する位置（状態Ｃ２）に移動する。
上述したように、状態Ｃ２では、通信機器１２との通信による電子時計１１の時刻同期が開始される。
【００５５】
図８は図７に示す場合（定期的な自動通信が行われる場合）における電子時計１１と通信機器１２との通信の一例を説明するための図である。
図８に示す例では、電子時計１１の状態が、第１状態Ａ（図７（Ａ）参照）から、第３状態Ｃの状態Ｃ２（図７（Ｂ）参照）に遷移すると、図８（Ａ）および図８（Ｂ）に右向き矢印で示すように、電子時計１１の通信部１１Ａが、通信機器１２との通信接続を求める接続要求を送信する。詳細には、電子時計１１の通信部１１Ａが、通信機器１２に対してアドバタイズ信号を発信し、通信機器１２との通信接続の確立を要求する。
つまり、電子時計１１の通信部１１Ａは、通信システム１の使用者の操作（例えば図５（Ａ）に矢印で示す操作部１１Ｃを押し下げて離す操作）によることなく自動で定期的に通信機器１２に対して通信接続の確立を要求する。当該自動で定期的に接続要求を行う時期は、前記強制通信ガイド状態（図５（Ｂ）に示す状態）になった時点から、強制通信が開始された時点（図５（Ｃ）に示す状態になった時点）と通信接続が確立された時点（図５（Ｄ）に示す状態になった時点）とを経て、通信確立後に時刻データを受信した時点まで、の期間に含まれる時点を起点とすることができる。
【００５６】
通信機器１２が電子時計１１からの接続要求を受信すると、通信機器１２の例えば制御部１２Ｃは、記憶部１２Ｂが記憶している接続許可リストに電子時計１１が含まれるか否かの照合を行う。
つまり、通信機器１２は、電子時計１１の通信部１１Ａによる通信接続の確立要求を検知すると、接続許可リストに電子時計１１が含まれるか否かの照合を行う。
【００５７】
電子時計１１が接続許可リストに含まれる場合に、通信機器１２の通信部１２Ａは、図８（Ａ）および図８（Ｂ）に双方向矢印で示すように、電子時計１１との通信接続の確立を行う。また、通信部１２Ａは、図８（Ａ）および図８（Ｂ）に左向き矢印で示すように、電子時計１１に少なくとも時刻データを送るデータ通信を行う。
つまり、電子時計１１が接続許可リストに含まれる場合に、通信機器１２の通信部１２Ａは、電子時計１１との通信接続を許可し、電子時計１１との通信接続を自動的に行い、電子時計１１に少なくとも時刻データを送信する。
電子時計１１は、受信した時刻データに基づき、文字板１１Ｄ１と指針１１Ｄ２とによって表示される時刻を修正する。
また、電子時計１１の制御部１１Ｂは、時刻データに含まれる特定のコマンドが通信機器１２から送信されるか否かに基づいて電子時計１１の動作を決定する。例えば、時刻データに含まれる特定のコマンドが通信機器１２から送信される場合に、電子時計１１は時刻の修正を行う。時刻データに含まれる特定のコマンドが通信機器１２から送信されない場合に、電子時計１１は時刻の修正を行わない。このように構成することにより、仮に電子時計１１が誤った機器（通信機器１２以外の機器）と接続されてしまった場合に誤動作してしまうおそれ（例えば、誤って時刻の修正を行ってしまうおそれ）を抑制することができる。
【００５８】
電子時計１１が接続許可リストに含まれない場合、通信機器１２の通信部１２Ａは、電子時計１１との通信接続の確立を行わない。
【００５９】
図７の説明に戻り、通信機器１２との通信による電子時計１１の時刻同期が成功すると、電子時計１１の状態が、第３状態Ｃの状態Ｃ２（図７（Ｂ）参照）から状態Ｃ３（図７（Ｃ）参照）に遷移する。詳細には、電子時計１１の秒針が、「１２時」を指示する位置（状態Ｃ２）から、「２時」を指示する位置（状態Ｃ３）に移動する。
その結果、電子時計１１の装着者は、図７（Ｃ）に示す電子時計１１の表示によって、通信機器１２との通信による電子時計１１の時刻同期が成功した旨を把握することができる。
図７（Ｃ）に示す電子時計１１の表示は、例えば５秒間維持され、次いで、電子時計１１の状態が、状態Ｃ３（図７（Ｃ）参照）から、第１状態Ａ（図７（Ａ）参照）に遷移する。電子時計１１は、通信機器１２から受信した時刻データに基づき、文字板１１Ｄ１と指針１１Ｄ２とによって表示される時刻を修正し、第１状態Ａ（図７（Ａ）参照）に遷移する。その結果、電子時計１１の装着者が、図７（Ａ）に示す電子時計１１の表示によって、現在時刻（詳細には、修正された現在時刻）を把握できるようになる。
【００６０】
第３状態Ｃの状態Ｃ２（図７（Ｂ）参照）において通信機器１２との通信による電子時計１１の時刻同期が失敗した場合には、通信機器１２との通信による電子時計１１の時刻同期が再度試みられる。
電子時計１１の状態が状態Ｃ２（図７（Ｂ）参照）に遷移してから例えば３分以内に時刻同期が成功しない場合には、タイムアウトとなり、電子時計１１の状態が、状態Ｃ２（図７（Ｂ）参照）から、第１状態Ａ（図７（Ａ）参照）に遷移する。その結果、電子時計１１の装着者が、図７（Ａ）に示す電子時計１１の表示によって、現在時刻（ただし、修正されていない現在時刻）を再び把握できるようになる。
電子時計１１の状態が状態Ｃ２（図７（Ｂ）参照）に遷移してから例えば３分が経過する前においても、電子時計１１の装着者によって、操作部１１Ｃが、例えば２秒以上押し下げられて離されると、時刻同期がキャンセルされる。それにより、電子時計１１の状態が、状態Ｃ２（図７（Ｂ）参照）から、第１状態Ａ（図７（Ａ）参照）に遷移する。その結果、電子時計１１の装着者が、図７（Ａ）に示す電子時計１１の表示によって、現在時刻（ただし、修正されていない現在時刻）を再び把握できるようになる。
【００６１】
図９は電子時計１１の状態が第１状態Ａから第３状態Ｃに遷移する第３の場合の一例を説明するための図である。
図１（Ｂ）および図９に示すように、電子時計１１の装着者によって、通常状態（第１状態Ａ）（詳細には、自動時刻同期ＯＮ状態Ａ１または自動時刻同期ＯＦＦ状態Ａ２）の電子時計１１の操作部１１Ｃが押し下げられ、操作部１１Ｃの押し下げ期間が例えば２秒よりも長くなると、電子時計１１の状態が、第１状態Ａ（図９（Ａ）参照）から、第３状態Ｃの状態Ｃ１（図９（Ｂ）参照）に遷移する。詳細には、電子時計１１の秒針が、現在時刻を指示する位置（第１状態Ａ）から、「２時」を指示する位置（状態Ｃ１）に移動する。
次いで、操作部１１Ｃの押し下げが継続され（つまり、操作部１１Ｃが更に長押しされ）、電子時計１１の状態が状態Ｃ１（図９（Ｂ）参照）に遷移してから例えば３秒よりも長い期間経過した後に、操作部１１Ｃが離されると、電子時計１１の状態が、第３状態Ｃの状態Ｃ１（図９（Ｂ）参照）から状態Ｃ４（図９（Ｃ）参照）に遷移する。詳細には、電子時計１１の秒針が、「２時」を指示する位置（状態Ｃ１）から、「４時」を指示する位置（状態Ｃ４）に移動する。
上述したように、状態Ｃ４では、電子時計１１の自動時刻同期設定がＯＦＦに設定される。つまり、電子時計１１の制御部１１Ｂは、電子時計１１と通信機器１２との間で定期的な自動通信が行われる状態を解除する。
【００６２】
また、第１実施形態の通信システム１では、電子時計１１の通信部１１Ａが、通信システム１の使用者の操作によることなく自動で定期的に通信機器１２に対して通信接続の確立を要求する状態（自動時刻同期ＯＮ状態Ａ１（図５（Ａ）参照））であっても、図５（Ａ）に矢印で示すように、電子時計１１の操作部１１Ｃが長押しされると、電子時計１１が、通信機器１２との通信接続許可を求める時刻同期開始ガイド状態（図５（Ｂ）に示す状態）になる。
通信機器１２の通信部１２Ａは、図５（Ｃ）および図５（Ｄ）に示す状態を経て、時刻データを電子時計１１に送信する。詳細には、電子時計１１の通信部１１Ａは、時刻同期開始ガイド状態になった時点から、強制通信が開始された時点と通信接続が確立された時点とを経て、通信接続確立後に時刻データを受信した時点まで、の期間に含まれる時点を起点として、自動で定期的に通信機器１２に対して通信接続の確立を要求する状態になる。
つまり、自動時刻同期ＯＮ状態（図５（Ａ）参照）から強制時刻同期が行われると、電子時計１１は、例えば２４時間毎に自動で接続要求を行うようになる。
【００６３】
図１０は第１実施形態の通信システム１において実行される主要な処理の一例を説明するためのフローチャートである。
図１０に示す例では、ステップＳ１０において、電子時計１１の通信部１１Ａが、例えば図６に示すように、通信機器１２との通信接続を要求する。
次いで、ステップＳ１１において、通信機器１２の制御部１２Ｃが、例えば図６に示すように、通信機器１２の記憶部１２Ｂが記憶している接続許可リストに電子時計１１が含まれるか否かの照合を行う。電子時計１１が接続許可リストに含まれる場合には、ステップＳ１２に進む。一方、電子時計１１が接続許可リストに含まれない場合には、ステップＳ１４に進む。
【００６４】
ステップＳ１２において、通信機器１２の通信部１２Ａは、例えば図６（Ａ）および図６（Ｂ）に双方向矢印で示すように、電子時計１１との通信接続の確立を行う。
次いで、ステップＳ１３において、通信機器１２の通信部１２Ａは、例えば図６（Ａ）および図６（Ｂ）に左向き矢印で示すように、電子時計１１に時刻データを送信する。
図１０に示す例では、ステップＳ１３において、通信機器１２の通信部１２Ａが、時刻修正用の時刻データを電子時計１１に送信するが、他の例では、ステップＳ１３において、通信機器１２の通信部１２Ａが、時差修正用の時刻データを電子時計１１に送信してもよい。
更に他の例では、ステップＳ１３において、通信機器１２の通信部１２Ａが、例えば電池交換後の電子時計１１に対して、時刻設定用の時刻データを送信してもよい。
更に他の例では、ステップＳ１３において、通信機器１２の通信部１２Ａが、電子時計１１のアラームの音色を設定するためのデータを電子時計１１に送信してもよい。
更に他の例では、ステップＳ１３において、通信機器１２の通信部１２Ａが、電子時計１１からの音の出力の有無を設定するためのデータを電子時計１１に送信してもよい。
更に他の例では、ステップＳ１３において、電子時計１１の通信部１１Ａが、例えば電子時計１１のストップウォッチ機能の計測データ、例えば電子時計１１の高度計測機能の計測データ、例えば電子時計１１に備えられている万歩計（登録商標）の計測データなどを通信機器１２に送信してもよい。
【００６５】
図１０に示す例では、ステップＳ１４において、通信機器１２の通信部１２Ａは、電子時計１１との通信接続の確立を行わない。
【００６６】
［第１実施形態のまとめ］
上述したように、第１実施形態の通信システム１では、電子時計１１の通信部１１Ａが通信機器１２との通信接続を求めると、通信機器１２の制御部１２Ｃは、通信機器１２の記憶部１２Ｂが記憶している接続許可リストに電子時計１１が含まれるか否かの照合を行う。電子時計１１が接続許可リストに含まれる場合に、通信機器１２の通信部１２Ａは、電子時計１１との通信接続の確立を行い、電子時計１１に少なくとも時刻データを送るデータ通信を行う。電子時計１１が接続許可リストに含まれない場合に、通信機器１２の通信部１２Ａは、電子時計１１との通信接続の確立を行わない。
そのため、第１実施形態の通信システム１によれば、ペアリング不要で簡便に電子時計１１と通信機器１２との通信接続を行うことができる。
【００６７】
また、第１実施形態の通信システム１では、通信機器１２は、接続許可リストに対する追加を行う接続許可リスト追加状態を有する。通信機器１２は、通信システム１の使用者による操作を受け付ける操作部１２Ｄを備える。通信機器１２が接続許可リスト追加状態である場合に、通信機器１２の制御部１２Ｃは、接続許可リストに含まれない他の電子時計を含む電子時計の探索を行い、通信機器１２の操作部１２Ｄは、探索により発見された電子時計を接続許可リストに追加するか否かの使用者による選択操作を受け付ける。通信機器１２が接続許可リスト追加状態ではない場合に、通信機器１２の制御部１２Ｃは、他の電子時計の探索を行わず、通信機器１２の操作部１２Ｄは、使用者による選択操作を受け付けない。
そのため、第１実施形態の通信システム１によれば、通信システム１の使用者の判断に応じて、他の電子時計を接続許可リストに追加することができる。
【００６８】
また、第１実施形態の通信システム１では、電子時計１１が、通信システム１の使用者による操作を受け付けるボタン状の操作部１１Ｃを備える。電子時計１１は、操作部１１Ｃが長押しされることによって、通信機器１２との通信接続許可を求める時刻同期開始ガイド状態になる。電子時計１１が時刻同期開始ガイド状態である場合に操作部１１Ｃが離されると、電子時計１１の通信部１１Ａは、通信機器１２との強制通信を開始し、通信機器１２に対してアドバタイズ信号（接続要求信号）を発信し、通信機器１２との通信接続の確立を要求する。電子時計１１と通信機器１２との間の通信接続が確立されると、電子時計１１と通信機器１２との間で定期的な自動通信が行われる状態になる。
そのため、第１実施形態の通信システム１によれば、電子時計１１と通信機器１２との間で、強制通信および定期的な自動通信の両方を行うことができる。
【００６９】
また、第１実施形態の通信システム１では、図９（Ｂ）に示す状態（時刻同期開始ガイド状態）から、電子時計１１の操作部１１Ｃが更に長押しされると、電子時計１１の制御部１１Ｂは、電子時計１１と通信機器１２との間で定期的な自動通信が行われる状態を解除する。
そのため、第１実施形態の通信システム１によれば、電子時計１１と通信機器１２との間で定期的な自動通信が行われる状態を解除させたい通信システム１の使用者の要求を満足させることができる。
【００７０】
また、第１実施形態の通信システム１では、電子時計１１が定期的な自動通信が行われる状態（図７（Ｂ）に示す状態）である場合に、電子時計１１の通信部１１Ａは、通信システム１の使用者の操作によることなく自動で定期的に通信機器１２に対して通信接続の確立を要求する。通信機器１２は、電子時計１１の通信部１１Ａによる通信接続の確立要求を検知すると、接続許可リストに電子時計１１が含まれるか否かの照合を行う。電子時計１１が接続許可リストに含まれる場合に、通信機器１２の通信部１２Ａは、電子時計１１との通信接続を許可し、電子時計１１との通信接続を自動的に行い、電子時計１１に少なくとも時刻データを送信する。電子時計１１が接続許可リストに含まれない場合に、通信機器１２の通信部１２Ａは、電子時計１１との通信接続の確立を行わない。
そのため、第１実施形態の通信システム１によれば、通信システム１の使用者の操作によることなく自動で定期的に通信機器１２から電子時計１１に少なくとも時刻データを送信することができる。
【００７１】
また、第１実施形態の通信システム１では、電子時計１１の制御部１１Ｂは、時刻データに含まれる特定のコマンドが通信機器１２から送信されるか否かに基づいて電子時計１１の動作を決定する。
そのため、第１実施形態の通信システム１によれば、仮に電子時計１１が誤った機器（通信機器１２以外の機器）と接続されてしまった場合に誤動作してしまうおそれ（例えば、誤って時刻の修正を行ってしまうおそれ）を抑制することができる。
【００７２】
また、第１実施形態の通信システム１では、通信機器１２の操作部１２Ｄは、接続許可リストを一括消去する機能（接続許可リストに登録されている電子時計の情報を消去する機能）を有する。なお、個別消去でもよい。
そのため、第１実施形態の通信システム１によれば、通信機器１２の操作部１２Ｄが接続許可リストを一括消去する機能を有さない場合よりも、通信システム１の操作性を向上させることができる。
【００７３】
また、第１実施形態の通信システム１では、電子時計１１の通信部１１Ａが通信システム１の使用者の操作によることなく自動で定期的に通信機器１２に対して通信接続の確立を要求する状態であっても、電子時計１１の操作部１１Ｃが長押しされることによって、電子時計１１が時刻同期開始ガイド状態になると、電子時計１１の通信部１１Ａは、時刻同期開始ガイド状態になった時点から、強制通信が開始された時点と通信接続が確立された時点とを経て、通信接続確立後に時刻データを受信した時点まで、の期間に含まれる時点を起点として、自動で定期的に通信機器１２に対して通信接続の確立を要求する状態になる。
そのため、第１実施形態の通信システム１によれば、通信システム１の使用者の操作によることなく自動で定期的に通信機器１２に対して通信接続の確立を要求する状態において、電子時計１１と通信機器１２との間で通信システム１の使用者の要求を反映させた通信を行うことができる。
【００７４】
詳細には、第１実施形態の通信システム１では、電子時計１１が、表示部１１Ｄとしての指針１１Ｄ２、操作部１１Ｃとして機能する押釦スイッチ、竜頭、竜頭回転スイッチなどを備える。
通信システム１の使用者は、操作部１１Ｃとしての押釦スイッチを押し、所定期間（例えば２秒）未満で離すと、現在の自動時刻同期設定状態（自動時刻同期ＯＦＦ状態または自動時刻同定ＯＮ状態）を秒針で知ることができる。
通信システム１の使用者が操作部１１Ｃとしての押釦スイッチを所定期間（例えば２秒）以上押し続けると、図５（Ｂ）に示すように、秒針が、時刻が進む方向で、「１０秒（２時）」を指示し、時刻同期開始ガイド状態の表示を行う。
図５（Ｂ）に示す状態で、通信システム１の使用者が、操作部１１Ｃとしての押釦スイッチを３秒以内に離すと、電子時計１１が時刻同期開始状態（図５（Ｂ）に示す状態）になり、図６（Ａ）および図６（Ｂ）に右向き矢印で示すように、電子時計１１の通信部１１Ａが、通信機器１２との定期的ではない強制的な通信接続を求める接続要求を送信する。詳細には、電子時計１１の通信部１１Ａは、例えばＢｌｕｅｔｏｏｔｈ（登録商標）などの近距離無線通信によって周囲にアドバタイズを行う。
図９（Ｂ）に示す状態から、操作部１１Ｃとしての押釦スイッチが、通信システム１の使用者によって例えば３秒間、更に押し続けられて離されると、図９（Ｃ）に示すように、指針１１Ｄ２（詳細には、秒針）が「４時（２０秒）」を指示する。その結果、電子時計１１は自動時刻同期ＯＦＦ状態に切り替わり、通信機器１２との定期的な通信がＯＦＦ状態となる。
【００７５】
また、第１実施形態の通信システム１では、図６（Ｂ）に示すように、例えばスマートフォンのような通信機器１２は、アプリケーションを操作し、新しい電子時計１１を接続許可リストに加える状態（接続許可リストに対する追加を行う接続許可リスト追加状態）になる。
接続許可リスト追加状態において、通信機器１２は、電子時計１１が発信しているアドバタイズデータに期待するサービスＵＵＩＤもしくは、期待する機器名を見つけた場合、図６（Ｃ）に示すように、検出した電子時計１１を接続許可リストに加えるか否かを通信システム１の使用者に促すダイアログの表示を行う。
図６（Ｃ）に示す状態において、通信システム１の使用者がＹＥＳを選択した場合（検出した電子時計１１を接続許可リストに加える選択をした場合）、通信機器１２は、検出した電子時計１１を接続許可リストに加える。詳細には、通信機器１２は、検出した電子時計１１のＢｌｕｅｔｏｏｔｈアドレスもしくは通信機器１２のＯＳから電子時計１１に割り当てられたＵＵＩＤなどを、接続許可リストに加える。その後、通信機器１２は、電子時計１１との通信接続を確立し、時刻データ等のデータ通信を行う。
【００７６】
図６（Ｃ）に示す状態において、通信システム１の使用者が、電子時計１１を接続許可リストに加える操作を行わない場合（ＮＯを選択した場合）、通信機器１２は、検出した電子時計１１を接続許可リストに加えず、かつ、電子時計１１との通信接続の確立を行わない。
つまり、通信機器１２は、期待するサービスＵＵＩＤ、または、機種名、その両方をアドバタイズしていて、かつ、接続許可リストに加えられた電子時計１１が通信接続を要求している場合のみ、図８（Ａ）および図８（Ｂ）に示すように、電子時計１１に対して、自動で通信接続を確立し、自動的に時刻データなどのデータ通信を行う。
【００７７】
＜第２実施形態＞
以下、本発明の通信システム、通信方法、電子時計および通信機器の第２実施形態について説明する。
第２実施形態の通信システム１は、後述する点を除き、上述した第１実施形態の通信システム１と同様に構成されている。従って、第２実施形態の通信システム１によれば、後述する点を除き、上述した第１実施形態の通信システム１と同様の効果を奏することができる。
【００７８】
第２実施形態の通信システム１は、図１に示す第１実施形態の通信システム１と同様に構成されている。
第１実施形態の通信システム１では、電子時計１１の通信部１１Ａが、図５（Ｂ）および図５（Ｃ）に示すように時刻同期開始ガイド状態において通信機器１２に対して通信接続の確立を要求する場合と、図７（Ａ）および図７（Ｂ）に示すように通信システム１の使用者の操作によることなく自動で定期的に通信機器１２に対して通信接続の確立を要求する場合とで、同一のアドバタイズ信号を送信する。
一方、第２実施形態の通信システム１では、電子時計１１の通信部１１Ａは、図５（Ｂ）および図５（Ｃ）に示すように時刻同期開始ガイド状態において通信機器１２に対して通信接続の確立を要求する場合と、図７（Ａ）および図７（Ｂ）に示すように通信システム１の使用者の操作によることなく自動で定期的に通信機器１２に対して通信接続の確立を要求する場合とで、異なるアドバタイズ信号を送信する。
【００７９】
また、第２実施形態の通信システム１では、通信機器１２は、接続許可リストに含まれていない他の電子時計１１のうち、図７（Ａ）および図７（Ｂ）に示すように自動で定期的に通信接続の確立を要求している他の電子時計１１を接続許可リストに追加せず、図５（Ｂ）および図５（Ｃ）に示すように時刻同期開始ガイド状態（強制通信が開始した状態）において通信接続の確立を要求している他の電子時計１１を接続許可リストに追加する。
つまり、第２実施形態の通信システム１では、図５（Ａ）に示すように、通信システム１の利用者が操作部１１Ｃとしての押釦スイッチを押し、図６（Ａ）および図６（Ｂ）に右向き矢印で示すように、電子時計１１が通信接続の確立の要求を出した場合と、図８（Ａ）および図８（Ｂ）に右向き矢印で示すように、電子時計１１が自動的に所定のタイミングで通信接続の確立の要求を出した場合とで、アドバタイズデータが異なる。通信機器１２は、図５（Ａ）に示すように、通信システム１の利用者が操作部１１Ｃとしての押釦スイッチを押し下げる操作に基づいて、図６（Ａ）および図６（Ｂ）に右向き矢印で示すように、電子時計１１がアドバタイズデータを発信している場合にのみ、接続許可リストにその電子時計１１を加える。
【００８０】
＜第３実施形態＞
以下、本発明の通信システム、通信方法、電子時計および通信機器の第３実施形態について説明する。
第３実施形態の通信システム１は、後述する点を除き、上述した第１実施形態の通信システム１と同様に構成されている。従って、第３実施形態の通信システム１によれば、後述する点を除き、上述した第１実施形態の通信システム１と同様の効果を奏することができる。
【００８１】
第３実施形態の通信システム１は、図１に示す第１実施形態の通信システム１と同様に構成されている。
第１実施形態の通信システム１では、通信機器１２との通信接続の確立が一定期間以上行われていない電子時計１１が存在する場合であっても、通信機器１２の制御部１２Ｃが、その電子時計１１を、通信システム１の使用者の操作によることなく自動で接続許可リストから消去することはない。
一方、第３実施形態の通信システム１では、通信機器１２の制御部１２Ｃは、通信機器１２との通信接続の確立が一定期間以上行われていない電子時計１１を、通信システム１の使用者の操作によることなく自動で接続許可リストから消去する。
詳細には、第３実施形態の通信システム１では、通信機器１２が、電子時計１１と最後に通信接続してからの経過時間を測定する。通信機器１２と電子時計１１との通信接続が一定期間以上ない場合に、通信機器１２は、電子時計１１を接続許可リストから自動的に削除する。
【００８２】
＜第４実施形態＞
以下、本発明の通信システム、通信方法、電子時計および通信機器の第４実施形態について説明する。
第４実施形態の通信システム１は、後述する点を除き、上述した第１実施形態の通信システム１と同様に構成されている。従って、第４実施形態の通信システム１によれば、後述する点を除き、上述した第１実施形態の通信システム１と同様の効果を奏することができる。
【００８３】
第４実施形態の通信システム１は、図１に示す第１実施形態の通信システム１と同様に構成されている。
第１実施形態の通信システム１では、通信機器１２に対して通信接続を求める電子時計１１の受信信号強度が一定値未満である場合であっても、通信システム１の使用者は、電子時計１１を接続許可リストに追加するか否かの選択操作を通信機器１２の操作部１２Ｄに入力することができる。
一方、第４実施形態の通信システム１では、受信信号強度検出部１２Ｅは、通信機器１２に対して通信接続を求める電子時計１１の受信信号強度を検出する。通信機器１２に対して通信接続を求める電子時計１１の受信信号強度が一定値以上である場合に、通信機器１２の操作部１２Ｄは、電子時計１１を接続許可リストに追加するか否かの通信システム１の使用者による選択操作を受け付ける。
第４実施形態の通信システム１では、通信機器１２に対して通信接続を求める電子時計１１の受信信号強度が一定値未満である場合に、通信機器１２の操作部１２Ｄは、電子時計１１を接続許可リストに追加するか否かの通信システム１の使用者による選択操作を受け付ない。
つまり、第４実施形態の通信システム１では、通信機器１２が、受信信号強度に基づいて通信機器１２と電子時計１１との距離を確認する。通信機器１２は、電子時計１１との距離が一定値以上、近いところにあると考えられる場合にのみ、その電子時計１１を接続許可リストに加える。
【００８４】
第１〜第４実施形態の通信システム１によれば、ペアリング不要で簡便で、電子時計１１と通信機器１２とを接続することができる。さらに、現在の通信接続の許可・禁止の状態にかかわらず、通信システム１の使用者は、同じ操作（ボタン一つの操作）で、強制通信の開始、定期的な通信の開始、定期的な通信の終了を選択することができる。そのため、第１〜第４実施形態の通信システム１によれば、誤った操作が起こらず、使いやすい通信システム１を実現することができる。
【００８５】
なお、通信システム１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。
【００８６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８７】
以上、本発明の通信システム、通信方法、電子時計および通信機器の実施形態について図面を参照して詳述してきたが、具体的な構成はこの実施形態に限られるものではなく、この発明の要旨を逸脱しない範囲の設計変更等も含まれる。
【符号の説明】
【００８８】
１…通信システム、１１…電子時計、１１Ａ…通信部、１１Ｂ…制御部、１１Ｃ…操作部、１１Ｄ…表示部、１１Ｄ１…文字板、１１Ｄ２…指針、１１Ｅ…記憶部、１２…通信機器、１２Ａ…通信部、１２Ｂ…記憶部、１２Ｃ…制御部、１２Ｄ…操作部、１２Ｅ…受信信号強度検出部
【図１】
2019158583.tif 000003
【図２】
2019158583.tif 000004
【図３】
2019158583.tif 000005
【図４】
2019158583.tif 000006
【図５】
2019158583.tif 000007
【図６】
2019158583.tif 000008
【図７】
2019158583.tif 000009
【図８】
2019158583.tif 000010
【図９】
2019158583.tif 000011
【図１０】
2019158583.tif 000012